(57)【要約】【課題】  完全に見開き状態にする堅表紙の見開き製本の製作に当たっては、従来、筋入れをした硬表紙を表紙にして見開き製本を作成する場合、完全に見開きの状態にはならなかった。また見開き上製本の場合、背表紙と前後表紙の間の凹溝を広く構成することによって、本が開いたときにかかる力を逃がすようにしていたが、凹溝を広くするにも本の体裁上から限界があったし、本の中身部分を厚くすると接着部分が剥離したり、本自体が損傷したり破壊してしまった。本発明は、このような欠点を解消する製本方法及び製本を提供する。【解決手段】  本発明は、綴じ部本体１の前後両側部に取付く両堅表紙４，４の内側部に見返し力紙７，７を接着し、この見返し力紙は台紙材２，・・の最内側部に接着する見返し遊び紙８，８と一体に成るとともに適当長さと広さの見開き間隙部１１，１１を形成するように成る製本方法であり、製本の構造である。【選択図】    図１
2005342940.tif 000002
【特許請求の範囲】
【請求項１】
綴じ部本体の前後両側部に取付く両堅表紙の内側部に見返し力紙を接着し、この見返し力紙は台紙材の最内側部に接着する見返し遊び紙と一体に成るとともに適当長さと広さの見開き間隙部を形成して成ることを特徴とする見開き製本方法。
【請求項２】
綴じ部本体の前後両側部に取付く両堅表紙の内側部に見返し力紙を接着し、この見返し力紙は台紙材の最内側部に接着する見返し遊び紙と一体に成るとともに適当長さと広さの見開き間隙部を形成して成ることを特徴とする見開き製本。
【請求項３】
適当長さと広さの見開き間隙部を前後両堅表紙の両内側部に形成して成る請求項１に記載した見開き製本方法。
【請求項４】
適当長さと広さの見開き間隙部を前後両堅表紙の両内側部に形成して成る請求項２に記載した見開き製本。
【請求項５】
適当長さと広さの見開き間隙部を前後両堅表紙のいずれか一方の内側部に形成して成る請求項１に記載した見開き製本方法。
【請求項６】
適当長さと広さの見開き間隙部を前後両堅表紙のいずれか一方の内側部に形成して成る請求項２に記載した見開き製本。
【発明の詳細な説明】
【技術分野】
【０００１】
本発明は、特に堅表紙の見開き製本に関する製本方法及びその製本に関するものである。
【背景技術】
【０００２】
完全に見開き状態にする堅表紙の見開き製本の製作に当たっては、従来、筋入れをした硬表紙を表紙にして見開き製本を作成する場合、完全に見開きの状態にならず問題となっていた。また見開き上製本の場合、背表紙と前後表紙の間の凹溝部を広く構成することによって、本が開いたときにかかる力を逃がすようにしていたが、前記凹溝部を広くするにも本の体裁上から限界があり、本の中身部分を厚くすると接着部分が剥離したり、本自体が損傷したり破壊してしまう現象が起こっていた。
【０００３】
また、公知文献としては次のようなものが存するが、前記課題を解決できる技術ではない。
【０００４】
【特許文献１】特許第２５２１６４９号公報
【特許文献２】特許第３２５０６０６号公報
【発明の開示】
【発明が解決しようとする課題】
【０００５】
そこで、本発明は前記のような欠点を解消する製本方法を提供することを目的とするものである。
【課題を解決するための手段】
【０００６】
本発明は、綴じ部本体の前後両側部に取付く両堅表紙の内側部に見返し力紙を接着し、この見返し力紙は台紙材の最内側部に接着する見返し遊び紙と一体に成るとともに適当長さと広さの見開き間隙部を形成するように成る製本方法であり、製本の構造である。
【発明の効果】
【０００７】
本発明にあっては、前後両側の両堅表紙と綴じ本体の内側部において一体に成る見返し力紙と見返し遊び紙の両方に比較的長い見開き間隙部を形成することによって、綴じ本体が厚手のページから構成されていても、その見開き時には綴じ本体にかかる力を見開き間隙部にスムースかつ確実に解放して逃すことができるようになるから、綴じ本体の背部分の接着部が剥離したり、本体が損傷したり破壊したりすることはまったくなくなる。
【０００８】
したがって、使用者は製本を常に安心して完全に見開き状態にして使用をすることができる。
【発明を実施するための最良の形態】
【０００９】
図１又は図５に示したように、前後両側の堅表紙の背表紙に隣接する部分と綴じ本体の各内側縁部との間を一体に接続する見返し力紙及び見返し遊び紙によって、比較的長くした見開き間隙部を形成するようにする。
【００１０】
この場合、製本対象によって、見開き時の間隙部を前後両側部分に均等に形成してもよいし、前側部又は後側部のみに本文厚み分と同じ長さ分を形成するようにしてもよい。
【実施例】
【００１１】
１は多数の台紙材２，・・とこの台紙材に貼付した印刷材３，・・から成る綴じ本体で、この本体の厚さは任意である。
【００１２】
４，４は前記綴じ本体１の前後両面部に背部の背表紙５の内側左右両側部に設けた筋線６，６を介して取付く前後の堅表紙で、この堅表紙４，４の内縁部には見返し力紙７，７を接着し、この見返し力紙は前記台紙材２，２に設けた見返し遊び紙８，８と一体に成る。（図１参照）
【００１３】
他例では、前記背表紙５の内側左右両側部に設けた凹溝９，９を介して取付く前後の堅表紙で、この堅表紙の内縁部には見返し力紙７，７を接着し、この見返し力紙は前記台紙材２，２に設けた見返し遊び紙８，８と一体に成る。（図５参照）
【００１４】
１０，１０は前記見返し力紙７，７と見返し遊び紙８，８との間に形成される連継部で、この連継部の形成によって後記見開き間隙部１１，１１が形成される。
【００１５】
１１，１１は前記綴じ本体１の背部に近接する台紙材２，２に設けた前記見返し遊び紙８，８に形成する適当広さと長さの見開き間隙部で、この間隙部の長さは綴じ本体の厚み分に比例して調整するが、この見開き間隙部１１，１１は表紙の見開き時に発生する力を解放する逃げ場となる。
【００１６】
前記見開き間隙部１１，１１の形成は左右両角背部の両方に均等に配置するが、上製本の場合には綴じ本体１の後表紙となる本の後側部のみに本文厚み分と同じ長さの見開き間隙部を形成するようにする。
【００１７】
１２は前記綴じ本体１の背部に接着する接合材で、この接合材には寒冷紗を使用するとよい。
【図面の簡単な説明】
【００１８】
図１乃至図４は一実施例を示し、図５乃至図８は他実施例を示す。
【図１】一例の全体を開いたときの正面図
【図２】一使用時の全体の正面図
【図３】他使用時の全体の正面図
【図４】全体の閉じたときの底面図
【図５】他例の全体の開いたときの正面図
【図６】要部の拡大正面図
【図７】要部の拡大斜視図
【図８】全体の閉じたときの底面図
【符号の説明】
【００１９】
１                    綴じ本体
２，・・              台紙材
３，・・              印刷材
４，４                堅表紙
５                    背表紙
６，６                筋線部
７，７                見返し力紙
８，８                見返し遊び紙
９，９                凹溝部
１０，１０            連継部
１１，１１            見開き間隙部
【図１】
2005342940.tif 000003
【図２】
2005342940.tif 000004
【図３】
2005342940.tif 000005
【図４】
2005342940.tif 000006
【図５】
2005342940.tif 000007
【図６】
2005342940.tif 000008
【図７】
2005342940.tif 000009
【図８】
2005342940.tif 000010